(57)【特許請求の範囲】
【請求項１】
撮像素子と、
前記撮像素子から出力される撮像信号の特定の領域の信号を用いて前記撮像信号より特定の周波数成分を抽出し、前記撮像信号のコントラストを示す焦点評価値を算出する評価値算出手段と、
フォーカスレンズを所定値よりも小さい単位移動量で往復移動させ、前記焦点評価値の変化に基づいて焦点検出を行う第１の焦点調節手段と、
前記フォーカスレンズを前記焦点評価値が大きくなる方向に前記所定値以上の単位移動量で移動させ、前記焦点評価値の変化に基づいて焦点検出を行う第２の焦点調節手段と、
前記第１の焦点調節手段及び前記第２の焦点調節手段のいずれか一方によって得られた合焦位置にて前記焦点評価値が所定の閾値以上変化するか否かを監視する監視手段と、を有する撮像装置であって、
前記監視手段にて前記焦点評価値が所定の閾値以上変化した際に前記監視手段による監視状態から前記第１の焦点調節手段による焦点調節状態に移行する場合、前記第２の焦点調節手段によって得られた合焦位置にて行われる監視状態における前記所定の閾値は、前記第１の焦点調節手段によって得られた合焦位置にて行われる監視状態における前記所定の閾値よりも大きいことを特徴とする撮像装置。
【請求項２】
前記第２の焦点調節手段によって今回得られなかった合焦位置にて行われる監視状態における前記所定の閾値は、前記第２の焦点調節手段によって今回得られた合焦位置にて行われる監視状態における前記所定の閾値よりも大きいことを特徴とする請求項１に記載の撮像装置。
【請求項３】
前記第２の焦点調節手段によって今回得られなかった合焦位置にて行われる監視状態における合焦位置は、前記第１の焦点調節手段又は第２の焦点調節手段によって過去に得られた合焦位置であることを特徴とする請求項２に記載の撮像装置。
【請求項４】
前記監視手段による監視状態は、動画撮影状態にて行われていることを特徴とする請求項１乃至３の何れか一項に記載の撮像装置。
【請求項５】
前記撮像装置のブレを検出するためのブレ検出手段と、
前記ブレ検出手段の出力に基づき、前記撮像装置のブレの変化傾向を検出するブレ変化傾向検出手段と、を備え、
前記監視手段にて前記焦点評価値が所定の閾値以上変化した際に前記ブレ変化傾向検出手段から出力されるブレ量の傾きが所定値よりも大きい場合、前記監視手段による監視状態から前記第１の焦点調節手段による焦点調節状態に移行しないことを特徴とする請求項１乃至４の何れか一項に記載の撮像装置。
【請求項６】
撮像素子と、
前記撮像素子から出力される撮像信号の特定の領域の信号を用いて前記撮像信号より特定の周波数成分を抽出し、前記撮像信号のコントラストを示す焦点評価値を算出する評価値算出手段と、
フォーカスレンズを所定値よりも小さい単位移動量で往復移動させ、前記焦点評価値の変化に基づいて焦点検出を行う第１の焦点調節手段と、
前記フォーカスレンズを前記焦点評価値が大きくなる方向に前記所定値以上の単位移動量で移動させ、前記焦点評価値の変化に基づいて焦点検出を行う第２の焦点調節手段と、
前記第１の焦点調節手段及び前記第２の焦点調節手段のいずれか一方によって得られた合焦位置にて撮影シーンが変化するか否かを監視する監視手段と、を有する撮像装置であって、
前記監視手段にて前記撮影シーンが変化した際に前記監視手段による監視状態から前記第１の焦点調節手段による焦点調節状態に移行する場合、前記第２の焦点調節手段によって得られた合焦位置にて行われる監視状態における撮影シーンの変化を判定するための所定の閾値は、前記第１の焦点調節手段によって得られた合焦位置にて行われる監視状態における前記所定の閾値よりも大きいことを特徴とする撮像装置。
【請求項７】
前記監視手段にて前記被写体の画像認識がなされ、前記認識された被写体が所定量以上だけ移動した際に前記監視手段による監視状態から前記第１の焦点調節手段による焦点調節状態に移行する場合、前記第２の焦点調節手段によって得られた合焦位置にて行われる監視状態における前記所定の閾値は、前記第１の焦点調節手段によって得られた合焦位置にて行われる監視状態における前記所定の閾値よりも大きいことを特徴とする請求項６に記載の撮像装置。
【請求項８】
撮像素子から出力される撮像信号の特定の領域の信号を用いて前記撮像信号より特定の周波数成分を抽出し、前記撮像信号のコントラストを示す焦点評価値を算出する評価値算出工程と、フォーカスレンズを所定値よりも小さい単位移動量で往復移動させ、前記焦点評価値の変化に基づいて焦点検出を行う第１の焦点調節工程と、前記フォーカスレンズを前記焦点評価値が大きくなる方向に前記所定値以上の単位移動量で移動させ、前記焦点評価値の変化に基づいて焦点検出を行う第２の焦点調節工程と、前記第１の焦点調節工程及び前記第２の焦点調節工程のいずれか一方によって得られた合焦位置にて前記焦点評価値が所定の閾値以上変化するか否かを監視する監視工程と、を有する撮像方法であって、
前記監視工程にて前記焦点評価値が所定の閾値以上変化した際に前記監視工程による監視状態から前記第１の焦点調節工程による焦点調節状態に移行する場合、前記第２の焦点調節工程によって得られた合焦位置にて行われる監視状態における前記所定の閾値は、前記第１の焦点調節工程によって得られた合焦位置にて行われる監視状態における前記所定の閾値よりも大きいことを特徴とする撮像方法。
【請求項９】
撮像素子から出力される撮像信号の特定の領域の信号を用いて前記撮像信号より特定の周波数成分を抽出し、前記撮像信号のコントラストを示す焦点評価値を算出する評価値算出工程と、
フォーカスレンズを所定値よりも小さい単位移動量で往復移動させ、前記焦点評価値の変化に基づいて焦点検出を行う第１の焦点調節工程と、
前記フォーカスレンズを前記焦点評価値が大きくなる方向に前記所定値以上の単位移動量で移動させ、前記焦点評価値の変化に基づいて焦点検出を行う第２の焦点調節工程と、
前記第１の焦点調節工程及び前記第２の焦点調節工程のいずれか一方によって得られた合焦位置にて撮影シーンが変化するか否かを監視する監視工程と、を有する撮像方法であって、
前記監視工程にて前記撮影シーンが変化した際に前記監視工程による監視状態から前記第１の焦点調節工程による焦点調節状態に移行する場合、前記第２の焦点調節工程によって得られた合焦位置にて行われる監視状態における撮影シーンの変化を判定するための所定の閾値は、前記第１の焦点調節工程によって得られた合焦位置にて行われる監視状態における前記所定の閾値よりも大きいことを特徴とする撮像方法。
【発明の詳細な説明】
【技術分野】
【０００１】
本発明は、撮像装置、撮像方法に関し、より詳しくはデジタルスチルカメラおよびデジタルビデオカメラに利用されるオートフォーカスに関する技術である。
【背景技術】
【０００２】
従来、オートフォーカス装置は、撮像素子により、被写体像を光電変換して得られた映像信号より画面の鮮鋭度を検出しＡＦ評価値として、それが最大となるようにフォーカスレンズ位置を制御して、焦点調節を行うようにした方式が主流である。
【０００３】
ＡＦ評価値としては、一般にある帯域のバンドパスフィルタ−により抽出された映像信号の高周波成分のレベルを用いている。これは、通常の被写体像を撮影した場合、ピントが合ってくるにしたがってＡＦ評価値のレベルは大きくなり、そのレベルが最大になる点が合焦位置となる。
【０００４】
その後、撮影しているシーンに変化が無ければフォーカスレンズを停止させ、ＡＦ評価値や輝度等を監視した状態（以後、監視状態）となる。ただし、この監視状態は映像信号を基にＡＦ評価値を算出しているため、被写体が画面内に出入りするような状況ではＡＦ評価値が変化することにより、シーンが変化したと判断してしまう場合がある。その影響に合焦位置を探す動作に入ってしまうことがある（特許文献１）。
【０００５】
たとえば、微小駆動動作や、山登り動作など、複数の焦点調整方式を使い分けて焦点調整を行う場合には次のよう課題がある。
【０００６】
微小駆動動作は、フォーカスレンズを断続的に単位移動量が所定値よりも小さく往復移動させてＡＦ評価値を取得し、値が大きくなる方向へ制御する動作である。
【０００７】
山登り動作は、特定の方向にフォーカスレンズを単位移動量が所定値よりも大きく動かしながらＡＦ評価値を取得し得られた複数のＡＦ評価値の形状から合焦位置を特定する動作である。
【先行技術文献】
【特許文献】
【０００８】
【特許文献１】特開２０１４−３８１９７号公報
【発明の概要】
【発明が解決しようとする課題】
【０００９】
上記のようなシーン変化のある状況の場合、最初に微小駆動動作を行い合焦位置の方向や合焦位置の特定を行う。
【００１０】
しかし、合焦位置特定の間に被写体が画面外に移動している場合、背景のコントラストが低いとＡＦ評価値の変化が検出しにくいため合焦位置やその方向の特定に時間がかかる。
【００１１】
そのため、途中で山登り動作に遷移して広い範囲で合焦位置を探すようになるが、前記のようなシーン変化判定により本来期待する合焦位置ではない位置に停止したり、合焦位置への追従動作が不安定で見苦しいものになってしまう場合があった。
【００１２】
上記実情に鑑み、本発明が解決しようとする課題は、画面内に被写体が出入りするような状況でＡＦ評価値が期待した変化傾向を示さない場合であっても、安定したピント追従を実現する撮像装置、撮像方法を提供することである。
【課題を解決するための手段】
【００１３】
その課題を解決するために、本発明では、撮像素子と、前記撮像素子から出力される撮像信号の特定の領域の信号を用いて前記撮像信号より特定の周波数成分を抽出し、前記撮像信号のコントラストを示す焦点評価値を算出する評価値算出手段と、フォーカスレンズを所定値よりも小さい単位移動量で往復移動させ、前記焦点評価値の変化に基づいて焦点検出を行う第１の焦点調節手段と、前記フォーカスレンズを前記焦点評価値が大きくなる方向に前記所定値以上の単位移動量で移動させ、前記焦点評価値の変化に基づいて焦点検出を行う第２の焦点調節手段と、前記第１の焦点調節手段及び前記第２の焦点調節手段のいずれか一方によって得られた合焦位置にて前記焦点評価値が所定の閾値以上変化するか否かを監視する監視手段と、を有する撮像装置であって、
前記監視手段にて前記焦点評価値が所定の閾値以上変化した際に前記監視手段による監視状態から前記第１の焦点調節手段による焦点調節状態に移行する場合、前記第２の焦点調節手段によって得られた合焦位置にて行われる監視状態における前記所定の閾値は、前記第１の焦点調節手段によって得られた合焦位置にて行われる監視状態における前記所定の閾値よりも大きいことを特徴とする。
【発明の効果】
【００１４】
本発明によれば、上述の構成を有しているため、画面内に被写体が出入りするような状況でＡＦ評価値が期待した変化傾向を示さない場合であっても安定したピント追従を実現する。
【図面の簡単な説明】
【００１５】
【図１】撮像装置のシステム全体の構成を示すブロック図である。
【図２】焦点調整動作の全体の流れを示すフローチャートである。
【図３】微小駆動動作の流れを示すフローチャートである。
【図４】山登り動作の流れを示すフローチャートである。
【図５】ＡＦ評価値の監視処理の流れを示すフローチャートである。
【図６】安定監視処理の流れを示すフローチャートである。
【図７】焦点調整方式の決定処理の流れを示すフローチャートである。
【図８】ブレ傾向検出処理の流れを示すフローチャートである。
【図９】ブレ情報の変化傾向を示す説明図である。
【図１０】ＡＦ処理部の構成を示したブロック図である。
【図１１】ＡＦ評価値とレンズ位置の関係を示した説明図である。
【発明を実施するための形態】
【００１６】
（実施例１）
以下に、本発明の実施形態について、図面を参照して詳細に説明する。
【００１７】
＜撮像装置の全体構成＞
まず、本発明の実施形態にかかる動画撮影機能のある撮像装置１の全体的な構成について説明する。図１は、本発明の実施形態にかかる撮像装置１の構成を模式的に示したブロック図である。システム制御部１１５は、例えばＣＰＵ、ＲＡＭおよびＲＯＭを有する。
【００１８】
そしてシステム制御部１１５は、ＲＯＭにあらかじめ記憶されたプログラムに従い、ＲＡＭを作業領域として用いながら、本発明の実施形態にかかる撮像装置１の全体の動作を制御する。なお、後述する各処理は、コンピュータプログラム（ソフトウェア）として、主にシステム制御部１１５によって実行されるものとする。
【００１９】
また、システム制御部１１５は、ＡＦ処理部１０５が算出した焦点評価値に基づいて合焦位置を特定し、フォーカスレンズ制御部１０４を制御することでフォーカスレンズを移動させ、自動焦点調整（ＡＦ）処理を実施する。焦点評価値は、測距領域内のコントラストの指標となる数値である。
【００２０】
撮像レンズ１００は、ズーム機能を備える従来一般の撮像レンズが適用できる。ズームレンズ制御部１０１は、焦点距離を変化させるズームレンズの駆動を制御する。絞り・シャッター制御部１０２は、光量を制御する絞りとシャッターの駆動を制御する。
【００２１】
フォーカスレンズ制御部１０４は、撮像素子１０８上に焦点を合わせるためにフォーカスレンズの駆動を制御する。なお、ズームレンズ制御部１０１、絞り・シャッター制御部１０２とフォーカスレンズ制御部１０４は、レンズなどの光学要素、絞り・シャッターといった機構、これらを駆動するために必要な各種装置（いずれも図略）を含む。
【００２２】
各種装置には、前記光学要素や前記機構を駆動するためのアクチュエータや、このアクチュエータを制御する回路や、Ｄ／Ａ変換器などが含まれる。発光装置（ストロボ）１０６は、外部に向けて光を発することにより被写体輝度を調整する。
【００２３】
ＥＦ処理部１０７は、システム制御部１１５から「フラッシュオン」の信号を受けると、発光装置（ストロボ）１０６を制御して発光させる。システム制御部１１５は、発光装置（ストロボ）１０６を発光させる必要があると判断した場合には、ＥＦ処理部１０７に「フラッシュオン」の信号を送る。
【００２４】
撮像素子１０８には、入射光を電気信号に変換する受光手段又は光電変換手段が適用される。たとえば、撮像素子１０８は、ＣＣＤやＣＭＯＳイメージャなどの光電変換素子からなり、入射した光を光電変換して撮像信号（画像信号）を生成し出力することができる。
【００２５】
撮像処理部１０９は、ＣＤＳ回路と非線形増幅回路とＡ／Ｄ変換部とを含む。ＣＤＳ回路は、撮像素子１０８の出力ノイズを、相関二重サンプリング方式により除去する。非線形増幅回路は、ＣＤＳ回路によりノイズが除去された撮像信号に対して信号増幅（ゲイン制御）を行う。
【００２６】
Ａ／Ｄ変換部は、アナログ信号である撮像信号をデジタル信号に変換する。撮像素子１０８と撮像処理部１０９とが、被写体を撮像することにより撮像信号を取得する「撮像部」として機能する。
【００２７】
画像処理部１１０は、撮像信号（すなわち画像データ）のガンマ補正や輪郭補正などの所定の画像処理を実施する。また、画像処理部１１０は、ＷＢ処理部１１１の制御に基づき、撮像信号のホワイトバランス処理を行う。
【００２８】
フォーマット変換部１１２は、供給された撮像信号を、画像記録部１１４（後述）における記録媒体への記録や、操作表示部１１７（後述）における表示に適した形式に変換する。ＤＲＡＭ１１３は、高速な内蔵メモリ（たとえば、ランダムアクセスメモリ）である。
【００２９】
ＤＲＡＭ１１３は、撮像信号を一時的に記憶できる記憶手段としての高速バッファに使用される。またＤＲＡＭ１１３は、撮像信号の圧縮や伸張における作業用メモリなどとして使用される。
【００３０】
画像記録部１１４は、撮像信号を記録できる。画像記録部１１４は、メモリカードなどの記録媒体とそのインターフェースからなる。
【００３１】
ＡＥ処理部１０３は、撮像部（＝撮像素子１０８および撮像処理部１０９）より得られた撮像信号に基づき、被写体の明るさに応じた測光値を算出する。すなわち、ＡＥ処理部１０３と撮像処理部１０９は、被写体撮像時の露出条件を検出する「露出条件検出部」として機能する。
【００３２】
また、ＡＥ処理部１０３は、被写体輝度が低い場合などに、撮像信号を増幅させて適正露出を維持するための信号増幅量（ゲイン量）を決定する。換言すると、ＡＥ処理部１０３は、撮像信号を適正な露出に補正するための信号増幅量（ゲイン量）を決定する。
【００３３】
そして、システム制御部１１５は、ＡＥ処理部１０３が算出した測光値に基づいて、絞りシャッター制御部１０２と撮像処理部１０９の非線形増幅回路とを制御する。このようにシステム制御部１１５は、露光量を自動的に調整する。換言すると、システム制御部１１５は、「露出条件検出部」が検出した露出条件を用いて、自動露出（ＡＥ）処理を実施する。
【００３４】
ＡＦ処理部１０５より得られたＡＦ評価値に基づいてシステム制御部１１５はフォーカスレンズ制御部１１５を制御し自動焦点調整（ＡＦ）処理を実施する。ＡＦ処理部１０５の詳細を図１０に示す。撮像処理部１０９より得られた撮像信号は測距ゲート１２２にて画面の一部のみの撮像信号を抽出し、バンドパスフィルタ（ＢＰＦ）１２３で所定の高周波成分のみを抽出し、検出（検波）部（ＤＥＴ）１２４にてピークホールドや積分等の処理を行う。なお本実施例中では積分処理した出力をＡＦ評価値として使用する。
【００３５】
ＡＦ処理部１０５は、撮像素子から出力される撮像信号の特定の領域の信号を用いて前記撮像信号より特定の周波数成分を抽出し、前記撮像信号のコントラストを示す焦点評価値を算出する評価値算出手段として機能する。
【００３６】
また、ＡＦ処理部１０５はさらに、撮像信号がどの程度ピントが合っているかを示す合焦度を算出する。
【００３７】
まず、測距ゲート１２２を通過した撮像信号は、ローパスフィルタ（ＬＰＦ）１２５で高域周波成分が除去される。
【００３８】
そして、ライン最大値部（Ｌｉｎｅ  Ｍａｘ）１２６で、水平１ラインの最大値を検出し、ライン最小値部（Ｌｉｎｅ  Ｍｉｎ）１２７では、水平１ラインの最小値を検出する。
【００３９】
水平１ラインの最大値と最小値との差分（最大値−最小値）を加算部１２８で算出し、ピークホールド部１２９で、測距ゲート１２２内のすべてのラインの最大値−最小値のピーク値ＭＭを検出する。これは、ほぼ測距ゲート１２２内のコントラストの最大値に相当する。
【００４０】
そして、測距ゲート１２２で抽出した撮像信号のうち検出部１２４で検出されたバンドパスフィルタ１２３のピークホールド値を除算部１３０にてピーク値ＭＭで除することで算出する。なお、ＡＦ評価値は積分出力のためノイズ等の影響に対しては有利である半面、被写体の種類や撮像条件（たとえば、被写体輝度、照度、焦点距離など）により合焦位置での値が大きく変化する（図１１（ａ））。
【００４１】
一方、合焦度は正規化することにより、合焦位置では一定の値（図１１（ｂ）のＭａｘ）に近づき、ボケていくにつれて値が小さくなる傾向を示す（図１１（ｂ））。本実施例では、ＡＦ評価値と合焦度の特徴を用いて自動焦点調整処理を実施する。
【００４２】
ＶＲＡＭ（画像表示用メモリ）１１６は、撮像信号などを記録できる。操作表示部１１７は、画像表示や操作補助のための表示やカメラ状態の表示を行うことができる。また、操作表示部１１７は、撮影時においては、撮影画面を表示することができる。メインスイッチ（メインＳＷ）１１８は、本発明の実施形態にかかる撮像装置の電源をＯＮ／ＯＦＦするためのスイッチである。
【００４３】
第一のスイッチ（ＳＷ１）１１９は、ＡＦやＡＥ等の撮影スタンバイ動作（撮影準備動作）を行うためのスイッチである。第二のスイッチ（ＳＷ２）１２０は、第一のスイッチ１１９が操作された後に、撮像を行うためのスイッチである。
【００４４】
ブレ検出部１２１は振動ジャイロ等の角速度センサーで、そのセンサー出力に基づきシステム制御部１１５はブレ量を検出している。本実施例ではブレ検出方法として振動ジャイロ等の角速度センサーを用いているが、センサーを用いない画像検出による動きベクトル検出方式であっても適用可能である。
【００４５】
＜基本動作＞
次に、本実施例における焦点調整動作の全体の流れについて図２のフローチャートを用いて説明する。
【００４６】
本実施例中での焦点調整動作は動画記録中および待機中に継続して実施されるものとする。また、本実施例中におけるフローチャートはコンピュータプログラム（ソフトウェア）として、システム制御部１１５のＲＯＭに保持される。
【００４７】
そして、メインスイッチ１１８が操作されることで電源が投入され、本発明の実施形態にかかる撮像装置１が起動した後に、主にシステム制御部１１５により実行されるものとする。
【００４８】
まずステップＳ２００にて、安定監視処理を実施する。この安定監視処理は手ブレやパンニング等、撮影者が撮像装置１を操作することによって生じるブレ状態を判断し、焦点調整動作が適切にできないと判断されるようなブレの状態の場合、安定化するまでブレの状態を監視する処理である。
【００４９】
この処理の詳細については別途後述する。次にステップＳ２０１ではステップＳ２００の安定監視処理の結果、次に遷移すべき状態が微小駆動動作であるか否かを判断する。ステップＳ２０１にて次の動作状態が微小駆動動作である場合はステップＳ２０２に進む。
【００５０】
一方で、次の動作状態が微小駆動動作でない場合はステップＳ２００に戻り、ブレ状態の監視を継続し安定化を待つ。
【００５１】
次にステップＳ２０２では微小駆動動作を実施する。微小駆動動作とは、断続的に細かくフォーカスレンズを移動させ、得られたＡＦ評価値の変化より合焦位置の方向および合焦位置を特定する焦点調整方法である。詳細については後述する。ステップＳ２０３、Ｓ２０４、Ｓ２０５ではステップＳ２０２の実行結果として、次にどの状態に遷移すべきかを判断する。
【００５２】
具体的にはステップＳ２０３では先に述べた安定監視処理へ遷移するか否か、ステップＳ２０４では後述するＡＦ評価値の監視処理へ遷移するか否か、ステップＳ２０５では後述する山登り動作へ遷移するか否かを判断する。ステップＳ２０３で安定監視処理へ遷移すると判断された場合は先に述べたステップ２００に戻る。
【００５３】
ステップＳ２０４でＡＦ評価値の監視処理に遷移すると判断された場合はステップＳ２１０に進み、ステップＳ２０２で特定した合焦位置もしくは非合焦として中断したレンズ位置でのＡＦ評価値を記憶し、後述するＡＦ評価値の監視処理で使用する。
【００５４】
ステップＳ２０５で山登り動作に遷移すると判断された場合はステップＳ２０６に進むが、該当しない場合はステップＳ２０２に戻り微小駆動動作を継続する。
【００５５】
次にステップＳ２０６では山登り動作を実施する。山登り動作とは、連続的にフォーカスレンズを移動させ、得られた複数のＡＦ評価値の変化より合焦位置を特定する焦点調整方法である。詳細については後述する。
【００５６】
ステップＳ２０７、Ｓ２０８、Ｓ２０９ではステップＳ２０６の実行結果として、次にどの状態に遷移すべきかを判断する。具体的にはステップＳ２０７では先に述べた安定監視処理へ遷移するか否か、ステップＳ２０８では先に述べた微小駆動動作へ遷移するか否か、ステップＳ２０９ではＡＦ評価値の監視処理へ遷移するか否かを判断する。
【００５７】
ステップＳ２０７で安定監視処理へ遷移すると判断された場合は先に述べたステップ２００に戻る。ステップＳ２０８で微小駆動動作へ遷移すると判断された場合は先に述べたステップ２０２に戻る。
【００５８】
ステップＳ２０９でＡＦ評価値の監視処理に遷移すると判断された場合はステップＳ２１０に進み、ステップＳ２０６で非合焦として中断したレンズ位置でのＡＦ評価値を記憶し、後述するＡＦ評価値の監視処理で使用する。一方で、ステップＳ２０９に該当しない場合はステップＳ２０６に戻り山登り動作を継続する。
【００５９】
次にステップＳ２１１のＡＦ評価値の監視処理について説明する。ＡＦ評価値の監視処理とは、予め記憶しておいたＡＦ評価値と周期的に得られるＡＦ評価値を比較し、その変化を監視する処理である。詳細については後述する。
【００６０】
ステップＳ２１２、Ｓ２１３ではステップＳ２１１の実行結果として、次にどの状態に遷移すべきかを判断する。ステップＳ２１２で微小駆動動作へ遷移すると判断された場合は先に述べたステップ２０２に戻る。ステップＳ２１３で安定監視処理へ遷移すると判断された場合は先に述べたステップ２００に戻る。
【００６１】
一方で、ステップＳ２１３に該当しない場合はステップＳ２１１に戻りＡＦ評価値の監視処理を継続する。
【００６２】
以上説明したとおり、本発明の実施形態にかかる撮像装置１のシステム制御部１１５は、ＡＦ動作として先に述べた微小駆動動作、山登り動作と、ＡＦ評価値監視、安定監視とを継続的に実施する。そして、様々なシーンの変化に応じて合焦状態を維持するようにフォーカスレンズを制御する。
【００６３】
＜微小駆動動作＞
次に微小駆動動作について図３のフローチャートを用いて説明する。
【００６４】
微小駆動動作とは、断続的に細かくフォーカスレンズを移動させ、得られたＡＦ評価値の変化より合焦位置の方向および合焦位置を特定する焦点調整方法である。
【００６５】
言い換えると、微小駆動動作は、フォーカスレンズを所定値よりも小さい単位移動量で往復移動させ、焦点評価値の変化に基づいて焦点検出を行う動作である。微小駆動動作を行う手段を第１の焦点調節手段とする。
【００６６】
まずステップＳ３００にてシステム制御部１１５は、ＡＦ処理部１０５からＡＦ評価値を取得する。ステップＳ３０１では合焦度を取得する。次にステップＳ３０２では微小駆動の移動量を決定する。
【００６７】
本実施では合焦位置に近づくほど小さく、外れるほど大きくフォーカスレンズを移動させることで微小駆動動作において安定したピント追従を実現する。
【００６８】
そのため、ステップＳ３０１にて取得した合焦度に応じてフォーカスレンズの移動量を決定するものとする。例えば、図１１（ｂ）のように合焦度の閾値をα＞β＞γの関係で設定した場合に対応する移動量は次のような関係となる。
現在の合焦度がαより大きい      ⇒移動量Ｓｔｅｐ１
現在の合焦度がβより大きくα以下⇒移動量Ｓｔｅｐ２
現在の合焦度がγより大きくβ以下⇒移動量Ｓｔｅｐ３
現在の合焦度がγ以下            ⇒移動量Ｓｔｅｐ４
（Ｓｔｅｐ１＜Ｓｔｅｐ２＜Ｓｔｅｐ３＜Ｓｔｅｐ４）
【００６９】
次にステップＳ３０３にて現在のＡＦ評価値が直前のＡＦ評価値＋変化閾値Ａよりも大きいか否かを判断する。ここで変化閾値ＡとはＡＦ評価値が明確に上昇したと判断するするための閾値であり、実際のＡＦ評価値の増加量に加えノイズ成分によるばらつきを考慮して設定する。
【００７０】
ステップＳ３０３にて条件が成立し、ＡＦ評価値の上昇傾向を検出した場合には、ステップＳ３０４に進み方向特定カウンタを増加する。この方向特定カウンタとは合焦位置の方向を特定する際に使用し、その値が大きくなるほど合焦位置に向け安定してＡＦ評価値が上昇していることを示している。
【００７１】
次にステップＳ３０５にてステップＳ３０２で決定した移動量分だけ現在の位置からフォーカスレンズを移動させる。その際、移動方向は直前の方向と同一である。一方で、ステップＳ３０３にてＡＦ評価値が条件を満たさない場合は、ステップＳ３０６に進む。
【００７２】
ステップＳ３０６では現在のＡＦ評価値が直前のＡＦ評価値−変化閾値Ａよりも大きいか否かを判断する。これはステップＳ３０３とは反対にＡＦ評価値の減少傾向を検出する。条件を満たす場合にはステップＳ３０８に進み、方向特定カウンタをクリアする。
【００７３】
そしてステップＳ３０９にて直前の方向とは逆方向に向かってステップＳ３０２で決定した移動量分だけ現在の位置からフォーカスレンズを移動させる。ステップＳ３０６にて条件を満たさない場合はステップＳ３０７に進み、直前の方向と同一方向に向かってステップＳ３０２で決定した移動量分だけ現在の位置からフォーカスレンズを移動させる。
【００７４】
この場合、明示的なＡＦ評価値の増減が検出できないため、方向特定カウンタの操作は行わない。次に、ステップＳ３１０にて所定回数同一エリア内で往復したかを判断する。例えば図１１（ａ）の領域Ａのように合焦位置の近傍まで収束してきた場合、微小駆動動作で合焦位置を通り過ぎるとＡＦ評価値が減少し、次の制御タイミングで反転することになる。
【００７５】
このような動作を継続することで最終的に合焦位置をまたいで往復動作することになる。そして所定回数同一エリア内で往復していればステップＳ３１６に進み「合焦」と判断する。この判断がなされた場合、次の状態をＡＦ評価値の監視処理に設定する。
【００７６】
一方で、条件を満たさないと判断された場合はステップＳ３１１に進み、方向特定カウンタが所定値以上かを判断する。所定値以上の場合はステップＳ３１５に進み「方向特定」と判断する。この判断がなされた場合、次の状態を山登り動作に設定する。
【００７７】
一方で、条件を満たさないと判断された場合はステップＳ３１２に進み、一連の微小駆動動作の処理が所定回数実施されたか、またステップＳ３０１で取得した合焦度が所定の閾値に対して低いか否かを判断する。例えば図１１（ａ）の領域ＣのようにＡＦ評価値の変化が乏しい状況で、所定回数以内に合焦位置やその方向が特定できない場合が考えられる。
【００７８】
これはサーチ範囲が広く合焦位置に対して現在位置が離れすぎているために探しきれないか、サーチ範囲外に実際の合焦位置が存在する場合が考えられる。これは微小駆動動作を継続しても合焦位置とその方向を探し出すことが困難であるため、その場合はステップＳ３１４に進み「非合焦」と判断する。この判断がなされた場合、次の状態を山登り動作に設定する。
【００７９】
一方で、条件を満たさないと判断された場合はステップＳ３１３に進み、微小駆動動作の継続を判断する。この判断がなされた場合、次の状態は変更せず微小駆動動作を継続して実施する。
【００８０】
ステップＳ３１０からステップＳ３１６までの処理では、周期的に得られるＡＦ評価値の変化を検出し、それに基づいて微小駆動動作における判定結果を出力する。その判定結果を基にステップＳ３１７の焦点調整方式の決定処理が実施されるが、詳細は後述する。
【００８１】
以上が本発明の実施形態にかかる撮像装置１の微小駆動動作である。
【００８２】
＜山登り動作＞
次に山登り動作について図４のフローチャートを用いて説明する。
【００８３】
山登り動作とは、連続的にフォーカスレンズを移動させ、得られた複数のＡＦ評価値の変化より合焦位置を特定する焦点調整方法である。
【００８４】
言い換えると、山登り動作とは、フォーカスレンズを前記焦点評価値が大きくなる方向に所定値以上の単位移動量で移動させ、焦点評価値の変化に基づいて焦点検出を行う動作である。
【００８５】
山登り動作は、第２の焦点調節手段にて行われる。
【００８６】
まずステップＳ４００にてＡＦ評価値と対応したフォーカスレンズ位置を取得する。次にステップＳ４０１にて合焦度を取得する。ステップＳ４０２では山登り動作におけるフォーカスレンズの移動速度を決定する。
【００８７】
本実施では合焦位置に近づくほど遅く、外れるほど速くフォーカスレンズを移動させることで山登り動作において安定したピント追従を実現する。
【００８８】
そのため、ステップＳ４０１にて取得した合焦度に応じてフォーカスレンズの移動速度を決定するものとする。例えば、図１１（ｂ）のように合焦度の閾値をα＞β＞γの関係で設定した場合に対応する移動速度は次のような関係となる。
現在の合焦度がαより大きい      ⇒レンズ速度Ｓｐｅｅｄ１
現在の合焦度がβより大きくα以下⇒レンズ速度Ｓｐｅｅｄ２
現在の合焦度がγより大きくβ以下⇒レンズ速度Ｓｐｅｅｄ３
現在の合焦度がγ以下            ⇒レンズ速度Ｓｐｅｅｄ４
（Ｓｐｅｅｄ１＜Ｓｐｅｅｄ２＜Ｓｐｅｅｄ３＜Ｓｐｅｅｄ４）
【００８９】
ステップＳ４０３にてフォーカスレンズが停止中であるか否かを判断する。
【００９０】
フォーカスレンズが停止中であるのは、微小駆動動作から山登り動作に遷移した直後もしくは山登り動作中にフォーカスレンズがサーチ範囲の端に到達した場合のいずれかである。
【００９１】
そこでステップＳ４０５では現在のレンズ位置が端であるか否かを判断する。ステップＳ４０５で端と判断された場合にはステップＳ４０７に進み、進行方向を端とは反対方向に設定してフォーカスレンズの移動を開始する。
【００９２】
一方で、ステップＳ４０５にて条件を満たさない場合にはステップＳ４０６に進む。ステップＳ４０６の条件に該当するのは微小駆動動作から山登り動作に遷移した直後の場合であり、微小駆動動作における進行方向を引き継いでフォーカスレンズの移動を開始する。
【００９３】
次にステップＳ４０８にて所定回数だけ端に到達したかを判断する。少なくともサーチ範囲の両方の端に到達し合焦位置が特定できない場合、サーチ範囲全域が図１１（ａ）の領域ＣのようにＡＦ評価値の変化が乏しい状況が考えられ、合焦位置はフォーカスレンズのサーチ範囲外に存在することが考えられる。
【００９４】
そのような条件で山登り動作を継続した場合、大きなピント変動が繰り返されるため、この状態を回避すべくステップＳ４０８の条件を満たす場合はステップＳ４０９に進みフォーカスレンズを停止させる。
【００９５】
そしてステップＳ４１０にて山登り動作における判定結果を「非合焦」とし、次に遷移する状態をＡＦ評価値の監視処理に設定する。一方で、ステップＳ４０８の条件を満たさない場合にはステップＳ４１１に進む。
【００９６】
ステップＳ４１１では現在のＡＦ評価値と直前のＡＦ評価値を比較し、現在の値が直前の値よりも大きいか否かを判断する。現在の値が直前の値よりも大きい場合はステップＳ４１２に進み山登り動作としては判定結果を「継続」とし、山登り動作の処理を引き続き実行する。
【００９７】
つまり、図１１（ａ）の領域Ｂにて実際の合焦位置の方向に正しく山登り動作を実施している場合など、ＡＦ評価値の増加傾向が検出できる場合にはその方向に向けて山登り動作が実施されることになる。
【００９８】
一方、ステップＳ４１１にて条件が成立しない場合には、ステップＳ４１３に進む。ステップＳ４１３ではＡＦ評価値がピークを越えて減少したか否かを判断する。具体的には図１１（ａ）の領域Ｂから領域Ａに向けて山登り動作を実施する場合などが該当し、この場合はステップＳ４１４に進み、フォーカスレンズを停止させる。
【００９９】
その後、ステップＳ４１５にて山登り動作の判定結果を「合焦」とし、次に遷移する状態を微小駆動動作に設定する。そしてステップＳ４１６にてフォーカスレンズをＡＦ評価値のピークの位置に移動させる。一方で、ステップＳ４１３にて条件が成立しない場合にはステップＳ４１７に進む。
【０１００】
具体的には図１１（ａ）の領域Ｂにて合焦位置とは反対方向に山登り動作が実施された場合が該当し、ステップＳ４１７ではフォーカスレンズの移動方向を反転し移動させる。そしてステップＳ４１８にて山登り動作の判定結果を「継続」とし、山登り動作の処理を引き続き実行する。
【０１０１】
ステップＳ４０８からステップＳ４１８までの処理は、周期的に得られるＡＦ評価値の変化を検出し、それに基づいて山登り動作における判定結果を出力する。そして、その判定結果を基にステップＳ４１９の焦点調整方式の決定処理が実施されるが、詳細は後述する。
【０１０２】
以上が本発明の実施形態にかかる撮像装置１の山登り動作である。
【０１０３】
＜ＡＦ評価値の監視処理＞
次にＡＦ評価値の監視処理について図５のフローチャートを用いて説明する。
【０１０４】
ＡＦ評価値の監視処理とは、予め記憶されたＡＦ評価値に対して現在のＡＦ評価値が変動したか否かを検出するための処理である。監視処理は、動画撮影状態にて行われている。
【０１０５】
まずステップＳ５００では山登り動作後かを判別する。山登り動作後であればステップＳ５０１へ進み、そうでなければステップＳ５０８へ進む。ステップＳ５０１では山登り動作によって合焦位置が検出されたかどうかを調べる。合焦位置が検出されていればステップＳ５１４へ進み、検出されていなければステップＳ５０２へ進む。ステップＳ５０２では前記山登り動作前の焦点調整動作で合焦位置が検出されたかどうかを調べる。
【０１０６】
合焦位置が検出されていればステップＳ５０３へ進み、検出されていなければステップＳ５０４へ進む。ステップＳ５０３では合焦位置の検出された時間が現在の時間に対して所定時間内かどうかを判定する。
【０１０７】
所定時間内であればステップＳ５０５へ進み過去に検出された合焦位置へフォーカスレンズを駆動する。所定時間内でなければステップＳ５１５へ進み、山登り動作にて検出された最も大きいＡＦ評価値が得られたレンズ位置へ駆動する。
【０１０８】
ステップＳ５０４では図２における焦点調整動作が開始した時間が現在の時間に対して所定時間内かどうかを判定する。この判定の時間経過閾値はステップＳ５０３の閾値と同じでも異なっていても良いとする。所定時間内であればステップＳ５０６へ進み、焦点調整動作開始時のフォーカスレンズ位置へレンズを駆動する。
【０１０９】
焦点調整動作開始時のレンズ位置については過焦点距離や過去に焦点調整動作を実施しているのであればその位置を採用しても良い。所定時間内でなければステップＳ５０７へ進む。ステップＳ５０７では後述するＡＦ評価値の変化量によってシーン変化と判定する為のシーン変化閾値にＴｈ１を設定する。
過焦点距離＝（焦点距離）２乗／（絞り値×許容錯乱円径）で定義される。
【０１１０】
過焦点距離とは、カメラなどのレンズで、ある距離Ｓに焦点を合わせたとき、その後方が無限遠までぼけない画像が得られる距離Ｓである。
【０１１１】
ステップＳ５１４ではシーン変化閾値にＴｈ２を設定する。ステップＳ５０８ではシーン変化閾値にＴｈ３を設定する。Ｔｈ１、Ｔｈ２、Ｔｈ３の関係はＴｈ１＞Ｔｈ２＞Ｔｈ３とする。
【０１１２】
つまり、第２の焦点調節手段（山登り動作）によって今回得られなかった合焦位置にて行われる監視状態における所定の閾値は、第２の焦点調節手段によって今回得られた合焦位置にて行われる監視状態における所定の閾値よりも大きくしている。
【０１１３】
第２の焦点調節手段（山登り動作）によって今回得られなかった合焦位置にて行われる監視状態における合焦位置は、第１の焦点調節手段（微小駆動）又は第２の焦点調節手段によって過去に得られた合焦位置である。
【０１１５】
この三パターンの閾値以外にも被写体の動きに応じて別途閾値を設ける等の構成を取っても良い。例えば被写体の動きが大きい場合は、合焦位置を正しく算出できない可能性があるのでＴｈ１よりも厳しい閾値Ｔｈ４をさらに設けるなどである。
【０１１６】
つまり、監視手段にて被写体の画像認識がなされ、認識された被写体が所定量以上移動した際に監視手段による監視状態から第１の焦点調節手段（微小駆動）による焦点調節状態に移行する。
【０１１７】
その場合、第２の焦点調節手段（山登り駆動）によって得られた合焦位置にて行われる監視状態における所定の閾値は、第１の焦点調節手段によって得られた合焦位置にて行われる監視状態における所定の閾値よりも大きくしている。
【０１１８】
ステップＳ５０９ではＡＦ評価値を取得する。次にステップＳ５１０では図２のステップＳ２１０で記憶したＡＦ評価値と最新のＡＦ評価値とを比較しＡＦ評価値の変動がシーン変化閾値Ｔｈより大きいかを判定する。ＡＦ評価値が大きく変動していればステップＳ５１１へ進み次に遷移すべき状態を微小駆動動作に設定する。
【０１１９】
ステップＳ５１０にてＡＦ評価値が変動していなければステップＳ５１２に進み、ＡＦ評価値の監視処理を継続するため次に遷移すべき状態をＡＦ評価値の監視処理に設定する。次にステップＳ５１３では、それまでに判定された次に遷移すべき状態を基に焦点調整方式の決定処理が実施されるが、詳細は後述する。
【０１２０】
このように図２のステップＳ２１０からステップＳ２１３における処理の流れが示す通り、ＡＦ評価値の変動が小さく安定している場合にはＡＦ評価値の監視処理が周期的に継続して実施されることになる。
【０１２１】
システム制御部１１５（監視手段）にて焦点評価値が所定の閾値以上変化した際に監視手段による監視状態から第１の焦点調節手段（微小駆動）による焦点調節状態に移行する。
【０１２２】
その場合、第２の焦点調節手段（山登り駆動）によって得られた合焦位置にて行われる監視状態における所定の閾値は、第１の焦点調節手段（微小駆動）によって得られた合焦位置にて行われる監視状態における所定の閾値よりも大きくしている。
【０１２３】
以上が本発明の実施形態にかかる撮像装置１のＡＦ評価値の監視処理である。このような制御を行う事によって頻繁な山登り制御が抑制でき、安定したピント追従が可能となる。
【０１２４】
システム制御部１１５は、第１の焦点調節手段及び第２の焦点調節手段のいずれか一方によって得られた合焦位置にて焦点評価値が所定の閾値以上変化するか否かを監視する監視手段として機能する。
【０１２５】
＜安定監視処理＞
次に安定監視処理について図６のフローチャートを用いて説明する。
【０１２６】
安定監視処理とは、ブレの状態の変化傾向を確認し、撮像装置１が安定した状態となるまで監視する状態である。
【０１２７】
まず、ステップＳ６００にてブレ傾向検出処理を実施する。このブレ傾向検出処理とはブレ検出部１２１より周期的に得られるブレ量の変化を監視し、撮像装置１がどのような状態にあるかを判断する処理である。
【０１２８】
詳細は後述する。次にステップＳ６０１にてブレ傾向検出処理の判定結果に基づいて、現在の状態が急激な変動をともなう状態であるか否かを判断する。
【０１２９】
ステップＳ６０１にて急激な変動状態であると判断された場合にはステップＳ６０３に進み、次に遷移すべき状態を安定監視処理に設定し処理を終了する。
【０１３０】
一方で、ステップＳ６０１にて条件を満たさないと判断された場合には、ステップＳ６０２に進み、次に遷移すべき状態を微小駆動動作に設定し処理を終了する。このように図２のステップＳ２００からステップＳ２０１における一連の処理が示す通り、ブレの傾向がある程度安定した状態とならない場合には安定監視処理が周期的に継続して実施される。
【０１３１】
これは、これはブレの急激な変化が発生する場合は撮像信号がブレることでＡＦ評価値が変動し、正しく焦点調整動作が実施できない場合があるためである。
【０１３２】
以上が本発明の実施形態にかかる撮像装置１の安定監視処理である。
【０１３３】
＜ブレ傾向検出処理＞
次にブレ傾向検出処理について図８のフローチャートおよび図９を用いて説明する。
【０１３４】
ブレ傾向検出処理とは、ブレ検出部１２１より周期的に得られるブレ量の変化を監視し、撮像装置１がどのような状態にあるかを判断する処理である。
【０１３５】
通常、ブレ量のみの判断ではブレが大きいか小さいかなどその大小のみが判別できるだけであるが、撮影者の撮り方や撮影状況によっては、緩やかなブレ、急激なブレ、周期的なブレなどブレの特徴は様々である。
【０１３６】
撮像装置のブレを検出するためのブレ検出部１２１と、ブレ検出部１２１の出力に基づき、撮像装置のブレの変化傾向を検出するブレ変化傾向検出手段と、を備えている。
【０１３７】
本実施例では、監視手段にて焦点評価値が所定の閾値以上変化した際にブレ変化傾向検出手段から出力されるブレ量の傾きが所定値よりも大きい場合、監視手段による監視状態から第１の焦点調節手段（微小駆動）による焦点調節状態に移行しないようにしている。
【０１３８】
それらをより細かく検出し、状況に応じて焦点調整動作にフィードバックすることで、より安定した焦点調整動作を実現することが望ましい。そこで、本実施例では緩やかな変化と急激な変化の２つのブレの傾向を特定する方法について説明する。
【０１３９】
まず図８のステップＳ８００にてブレ検出部１２１よりブレ量を取得する。次にステップＳ８０１にて取得したブレ量に対してＬＰＦ処理を実施する。ブレ検出部１２１より得られたブレ量はノイズ等の影響によりばらついている可能性があるためステップＳ８０１にて平滑化することで信号の変化傾向が抽出しやすいようにする。次にステップＳ８０２にてＨＰＦ処理を実施する。
【０１４０】
具体的にはステップＳ８０１で算出したブレ量のＬＰＦ出力に対してＨＰＦ処理を実施する。なお本実施例中におけるＨＰＦ出力は絶対値を用いるものとする。これにより、ブレ量の１次微分出力（＝傾き）を算出することができる。したがって、ステップＳ８０１では滑らかなブレ量の変化を、ステップＳ８０２では緩やかな変化や急激な変化などブレの変化傾向を抽出することが可能となる。
【０１４１】
これらの出力を元にステップＳ８０３では検出パターンに応じた閾値を設定する。以降の処理では同一の検出ルールに基づき検出する複数のパターンに応じて形状判定時の閾値（後述するＨＰＦ閾値、ＬＰＦ閾値、カウント閾値）を切り換えながら処理するものとする。
【０１４２】
まず、ステップＳ８０４ではＳ８０２で算出したＨＰＦ出力をＨＰＦ閾値と比較し、閾値より大きいか否かを判定する。先に述べたとおりＨＰＦ出力は傾きを示すため、急激なブレほど値は大きく、緩やかなブレほど小さく変化する。この特徴に基づいてあらかじめ設定した閾値との比較を行うことでブレの傾向を特定する。
【０１４３】
ＨＰＦ出力が閾値より大きい場合はステップＳ８０５に進みパターン検出の開始を設定する。一方でステップＳ８０４で条件に該当しない場合はステップＳ８１０に進む。ステップＳ８１０ではパターン検出が開始されているか否かを判断し、開始されていればステップＳ８０６に進み、開始されていなければステップＳ８１２に進む。
【０１４４】
ステップＳ８１２では全パターンの判定が終了したかを判断する。全パターンが終了していなければステップＳ８０３に戻り、閾値の条件を切り換えて再度パターンの判定を継続し、終了していればそのまま処理を終了する。ステップＳ８０６ではＬＰＦ出力がＬＰＦ閾値よりも小さいか否かを判断する。
【０１４５】
この処理ではＬＰＦ出力が小さくなりブレが安定したかどうかを判定し、条件に該当する場合にはステップＳ８０７に進む。ステップＳ８０７では検出パターンごとに用意している安定カウントをカウントアップする。ここで安定カウントとは、ブレが小さく安定した期間が継続したことを判断するために使用する。
【０１４６】
ステップＳ８０７で条件に該当しない場合はステップＳ８１１に進み安定カウントをクリアし、ステップＳ８１２に進む。ステップＳ８０８にて安定カウントがカウント閾値以上であるか否かを判断する。ここでは所定回数（＝一定期間）だけＬＰＦの出力が閾値よりも小さい状態が継続したか否かを判定している。
【０１４７】
この条件に該当する場合はステップＳ８０９に進み、パターン検出を解除する。一方でステップＳ８０８で条件に該当しない場合はステップＳ８１２に進む。このように、ＨＰＦ出力の変化を起点としてパターン検出を開始し、ＬＰＦ出力の一定回数の安定をもってパターン検出を終了する。この開始から終了までの期間が所定のブレの変化傾向を示す状態として認識される。
【０１４８】
また、ステップＳ８１２からステップＳ８０３に戻り閾値を変えて、判定を実施することで複数の変化傾向の検出を可能にしている。図９は今回のブレ傾向検出処理で検出するブレの変化傾向の例を示しており、図９（ａ）は緩やかな変化、図９（ｂ）は急激な変化の例を示している。
【０１４９】
それぞれのブレの変化傾向に応じてＬＰＦ出力、ＨＰＦ出力に違いが生じるため、それを検出すべくこれまでに説明したＨＰＦ閾値、ＬＰＦ閾値、安定カウント閾値を図９に示すように設定する。これにより緩やかな変化と急激な変化の２パターンのブレの変化傾向を検出する。
【０１５０】
なお、本実施例のブレ傾向検出処理では図８で示したフローチャートの処理のみであるが、検出するための閾値のバリエーションを増やすことで検出するパターンを増やすことも可能である。
【０１５１】
また、変化の検出方法そのものを追加することで、さらに異なる変化傾向も抽出可能である。
【０１５２】
例えば、周期的なブレの影響などのように、一定時間内に所定のレベルの信号の増減が周期的に発生しているかを検出することも考えられる。
【０１５３】
さらに、撮像処理部１０９より得られた撮像信号が手ブレやパンニング等の影響を受ける場合、撮像信号上の被写体の移動量は焦点距離に比例する。そのため、ズームレンズ制御部１０１より現在のズームレンズ位置に対応した焦点距離を算出し、ブレ傾向検出処理における各種閾値（ＨＰＦ閾値、ＬＰＦ閾値等、安定カウント等）を焦点距離ごとに設定できるようにしてもよい。
【０１５４】
以上が本発明の実施形態に係る撮像装置１のブレ傾向検出処理である。
【０１５５】
＜焦点調整方式の決定処理＞
次に焦点調整方式の決定処理について図７のフローチャート用いて説明する。
【０１５６】
焦点調整方式の決定処理とは、検出されているブレの変化傾向に応じて焦点調整動作に用いる焦点調整方法を適時切り替える処理である。
【０１５７】
まずステップＳ７００にてブレ傾向検出処理を実施する。次にステップＳ７０１にてステップＳ７００で検出されたブレの変化傾向を判断し、急激な変化であるか否かを判定する。ステップＳ７０１にて条件を満たす場合はステップＳ７０４に進み、次の状態に遷移すべき状態を安定監視処理に設定する。
【０１５８】
一方で、Ｓ７０１にて条件を満たさない場合にはステップＳ７０２に進み、ブレの変化傾向が緩やかな変化か否かを判定する。ステップＳ７０２で条件を満たす場合はステップＳ７０３に進み、条件を満たさない場合はそのまま処理を終了する。ステップＳ７０３で次に遷移すべき状態が山登り動作であるか否かを判断する。
【０１５９】
この焦点調整方式の決定処理は図３で説明した微小駆動動作、図４で説明した山登り動作の終わりで実施しており、その直前では各動作における判定結果に応じて次に遷移すべき状態が確定している。そのため、ステップＳ７０３では事前に確定してる状態が山登り動作であるか否かを判断し、山登り動作である場合にはステップＳ７０５に進み次に遷移すべき状態を微小駆動動作に設定し直す。
【０１６０】
一方、ステップＳ７０３の条件を満たさない場合はそのまま処理を終了する。したがって、ステップＳ７０２やステップＳ７０３で条件を満たさない場合は、事前に確定している状態がそのまま反映されることになる。このように、ブレの変化傾向に応じて本来遷移すべき状態から別の状態へ、次に遷移すべき状態を更新する。これは微小駆動動作や山登り動作などの焦点調整の方法によってブレの影響の受けやすさが異なることに起因する。
【０１６１】
すなわち、断続的なレンズ移動より得られたＡＦ評価値の変化から合焦位置を特定する微小駆動動作であれば、ある程度のブレの影響を受けた場合であっても、追従スピードが遅くなるだけで合焦位置に追従できる可能性がある。
【０１６２】
しかし、連続的なレンズ移動より得られた一連のＡＦ評価値の変化から合焦位置を特定する山登り動作の場合では、ブレの影響がＡＦ評価値の変動として直接表面化してしまい、合焦位置の特定において誤判定する可能性が高い。
【０１６３】
このような焦点調整方法ごとの特徴の違いを考慮した上で、焦点調整方式の決定処理ではブレの変化傾向を考慮し適切な焦点調整方式を選択する。
【０１６４】
以上が本発明の実施形態にかかる撮像装置１の焦点調整方式の決定処理である。
【０１６５】
本発明では、監視手段にて撮影シーンが変化した際に監視手段による監視状態から第１の焦点調節手段（微小駆動）による焦点調節状態に移行する。
【０１６６】
その場合、第２の焦点調節手段（山登り駆動）によって得られた合焦位置にて行われる監視状態における所定の閾値は、第１の焦点調節手段によって得られた合焦位置にて行われる監視状態における所定の閾値よりも大きくしている。
【０１６７】
以上説明したように、本発明によれば面内に被写体が出入りするような状況でＡＦ評価値が期待した変化傾向を示さない場合であっても、一度焦点調整を実行した後に無駄なピント追従を避けることができる。これにより安定したピント追従を実現することが可能となる。
【符号の説明】
【０１６８】
１００  撮影レンズ
１０４  フォーカスレンズ制御部
１０５  ＡＦ処理部
１０８  撮像素子
１０９  撮像処理部
１２１  ブレ検出部
１１５  システム制御部
【図１】
0006425440.tif 000002
【図２】
0006425440.tif 000003
【図３】
0006425440.tif 000004
【図４】
0006425440.tif 000005
【図５】
0006425440.tif 000006
【図６】
0006425440.tif 000007
【図７】
0006425440.tif 000008
【図８】
0006425440.tif 000009
【図９】
0006425440.tif 000010
【図１０】
0006425440.tif 000011
【図１１】
0006425440.tif 000012